(57)【要約】  真空条件下のウェブ被覆処理でローラーデバイスに接触した状態で、ウェブ（２００）を誘導し、ウェブ（２００）の温度を制御するためのローラーデバイス（１００）が記述されている。ローラーデバイスは、ウェブ（２００）に接触するローラーデバイス（１００）の湾曲面（１０１）を含み、湾曲面（１０１）はウェブ誘導領域（１０３）を含む。ローラーデバイスは更に、湾曲面（１０１）の一群のガス排出口（１０４）、並びに、ガス排出口（１０４）の第１のサブグループにガス流を選択的に供給し、ガス排出口（１０４）の第２のサブグループにガスが流れるのを選択的に防止するためのガス分配システム（１０５）を含む。ローラーデバイスは更に、湾曲面（１０１）を回転するための駆動ユニット（１１０）を含み、湾曲面（１０１）は、湾曲面が回転したときにウェブ（２００）の運動を含むように適合されている。【選択図】図１
2019517970.tif 000002
【特許請求の範囲】
【請求項１】
真空条件下のウェブ被覆処理でローラーデバイスに接触した状態で、ウェブ（２００）を誘導し、前記ウェブ（２００）の温度を制御するためのローラーデバイス（１００）であって、
−  前記ローラーデバイス（１００）の温度を調整するための温度調整システム（１３０）と、
−  前記ウェブ（２００）に面して接触するための前記ローラーデバイス（１００）の湾曲面（１０１）であって、前記ローラーデバイスの軸（１０２）の周りに回転可能で、ウェブ誘導領域（１０３）を含む湾曲面（１０１）と、
−  前記湾曲面（１０１）に配設され、ガス流の放出に適合された一群のガス排出口（１０４）と、
−  前記ガス排出口（１０４）の第１のサブグループに前記ガス流を選択的に供給し、前記ガス排出口（１０４）の第２のサブグループに前記ガスが流れるのを選択的に防止するためのガス分配システム（１０５）であって、前記ガス排出口の前記第１のサブグループは、前記ウェブ誘導領域（１０３）内の少なくとも１つのガス排出口からなり、前記ガス排出口の前記第２のサブグループは、前記ウェブ誘導領域（１０３）外の少なくとも１つのガス排出口からなる、ガス分配システム（１０５）と、
−  前記湾曲面（１０１）を回転するための駆動ユニット（１１０）であって、前記湾曲面（１０１）は、前記湾曲面が回転したときに前記ウェブ（２００）の運動を含むように適合されている、駆動ユニット（１１０）と
を備えるローラーデバイス（１００）。
【請求項２】
前記ローラーデバイスは、２０ｓｃｃｍ／ｍ２から１５０ｓｃｃｍ／ｍ２の間のガス流を供給するように適合されている、請求項１に記載のローラーデバイス。
【請求項３】
前記湾曲面（１０１）は、前記ウェブ（２００）と前記ローラーデバイス（１００）との点接触を可能にし、前記ガス流が前記ウェブと前記湾曲面との間の異なる接触位置間のボイドを充填することを可能にする粗度を備える、請求項１又は２に記載ローラーデバイス。
【請求項４】
前記ローラーデバイス（１００）は更に、被覆される前記ウェブ（２００）及び前記被覆処理の前記真空条件に関して、前記ガス流を密閉するための一又は複数のシーリングデバイス（１１３、１１４）を備える、請求項１から３のいずれか一項に記載のローラーデバイス。
【請求項５】
前記ローラーデバイス（１００）は更に、前記一群のガス排出口（１０４）のうちの一又は複数の前記ガス排出口に真空を選択的に供給するための真空生成システム（１１１）を含む、請求項１から４のいずれか一項に記載のローラーデバイス。
【請求項６】
前記ガス排出口（１０４）の各々が前記第１のサブグループ又は前記第２のサブグループのどちらに所属するかは、前記湾曲面（１０１）の回転に応じて変化する、請求項１から５のいずれか一項に記載のローラーデバイス。
【請求項７】
前記ガス分配システム（１０５）は、ガス源（１０８）と、前記ガス排出口（１０４）と流体連通している個々のガスチャネル（１０７）であって、前記ガス源（１０８）を前記ガス排出口（１０４）の前記第１のサブグループに選択的に接続し、前記ガス排出口（１０４）の前記第２のサブグループから前記ガス源（１０８）を選択的に切断するように適合された個々のガスチャネル（１０７）とを備える、請求項１から６のいずれか一項に記載のローラーデバイス。
【請求項８】
前記ガス源（１０８）は非回転式で、前記ガスチャネル（１０７）は前記湾曲面（１０１）と共に回転可能で、前記ガスチャネル（１０７）は、回転時の前記ガス源（１０８）に対するその相対位置に応じて、前記ガス源（１０８）に対して選択的に接続又は切断するように適合される、請求項７に記載のローラーデバイス。
【請求項９】
前記ガス排出口（１０４）は、前記湾曲面（１０１）の多孔質材料（１２３）の層によって提供される、請求項１から８のいずれか一項に記載のローラーデバイス。
【請求項１０】
真空条件下のウェブ被覆処理でウェブ（２００）の温度を制御するための方法であって、
−  温度制御されたローラーデバイスのウェブ誘導領域（１０３）内で、前記温度制御されたローラーデバイスに接触した状態で、前記温度制御されたローラーデバイス（１００）の上で前記ウェブ（２００）を動かすこと、
−  前記温度制御されたローラーデバイス（１００）から前記ウェブ（２００）まで温度遷移をもたらすように、前記温度制御されたローラーデバイスと前記ウェブとの間にガスベアリングを形成するため、前記温度制御されたローラーデバイス（１００）に配設されたガス排出口（１０４）からガスを放出することであって、前記ウェブ誘導領域（１０３）内の前記ガス排出口（１０４）の第１のサブグループを経由して、前記温度制御されたローラーデバイス（１００）からガス流を放出することを含む、ガスを放出すること、
−  前記ウェブ誘導領域（１０３）外の前記ガス排出口（１０４）の第２のサブグループを経由して前記ガスが流れるのを防止すること
を含む、方法。
【請求項１１】
駆動ユニット（１１０）によって、前記温度制御されたローラーデバイス（１００）を回転することを更に含み、湾曲面（１０１）の回転は前記ウェブ（２００）の運動を含む、請求項１０に記載の方法。
【請求項１２】
前記ガス排出口（１０４）から前記ガスを放出することは、３０ｓｃｃｍから３００ｓｃｃｍの間の流量で前記ガスを放出することを含む、請求項１０又は１１に記載の方法。
【請求項１３】
真空条件下のウェブ被覆処理の適用で、ウェブ（２００）への接触とウェブ（２００）の温度制御のためのローラーデバイス（１００）の利用であって、前記ローラーデバイスは、
−  前記ローラーデバイス（１００）の温度を調整するための温度調整システム（１３０）と、
−  前記ウェブ（２００）に面して接触するための前記ローラーデバイス（１００）の湾曲面（１０１）であって、前記ローラーデバイスの軸（１０２）の周りに回転可能でウェブ誘導領域（１０３）を含む、湾曲面（１０１）と、
−  前記湾曲面（１０１）に配設され、ガス流を放出するように適合された一群のガス排出口（１０４）と、
−  前記ガス排出口（１０４）の第１のサブグループに前記ガス流を選択的に供給し、前記ガス排出口（１０４）の第２のサブグループに前記ガスが流れるのを選択的に防止するためのガス分配システム（１０５）とを備え、
−  前記ガス排出口の前記第１のサブグループは、前記ウェブ誘導領域（１０３）内の少なくとも１つのガス排出口からなり、前記ガス排出口の前記第２のサブグループは、前記ウェブ誘導領域（１０３）外の少なくとも１つのガス排出口からなる、ローラーデバイス（１００）の利用。
【請求項１４】
前記ローラーデバイス（１００）は、請求項１から９のいずれか一項に記載のローラーデバイスである、請求項１３に記載のローラーデバイスの利用。
【請求項１５】
前記ローラーデバイス（１００）は、前記ウェブの２面被覆処理で利用される、請求項１３又は１４に記載のローラーデバイスの利用。
【発明の詳細な説明】
【技術分野】
【０００１】
［０００１］  本開示の実施形態は、ウェブ被覆処理のローラーデバイスに関し、また、ウェブ被覆処理でウェブを誘導する方法に関する。具体的には、実施形態は、ウェブ被覆処理でウェブを誘導し冷却するためのデバイス及び方法に関する。幾つかの実施形態は、薄膜太陽電池製造などの２面被覆処理におけるウェブ誘導やウェブの冷却のためのデバイス及び方法に関し、他の実施形態は可撓性ディスプレイの製造時のウェブ誘導に関する。
【背景技術】
【０００２】
［０００２］  薄膜太陽電池の製造などの場合、ウェブを被覆するための装置及び方法では、被覆されるウェブは被覆装置を通って誘導される。例えば、ウェブ上に堆積材料の一又は複数の層を堆積するため、ウェブは一又は複数の堆積源を通って誘導されうる。また、ウェブの誘導は、被覆装置内でウェブの移動方向を変える際に有用となりうる。誘導ローラーデバイスを用いて被覆装置のサイズを最適化することは、所有コスト及び被覆装置を購入する顧客の承諾の観点から有益である。
【０００３】
［０００３］  ウェブの誘導で可能なもう１つの適用は、ウェブの２面被覆である。ウェブが両面から被覆される場合には、第２の面の被覆中に被覆済みのウェブの第１の面の損傷を避けるため、ローラーデバイスは慎重に設計され、操作される。
【０００４】
［０００４］  多くの適用では、特に薄膜太陽電池の適用では、既に被覆されたウェブの面上でローラーを用いて被覆済みのウェブを誘導すると、被覆を損傷することがある。そのため、被覆装置は、ローラーとウェブの接触がもっぱらウェブの（被覆されていない）裏面になるように設計されてきた。設計に制限があるため、被覆装置内に複雑な移動経路が設計される、及び／又は被覆装置の経路長全体が実質的に制限される。幾つかの適用では、ウェブを非接触で誘導し、ウェブ上での被覆の損傷を防止するため、ホバークッションが利用される。幾つかの適用では、被覆処理は真空条件下で行われる。ホバークッション用に放出されるガスは、真空条件に対して悪影響を及ぼしうる。
【０００５】
［０００５］  上記を踏まえて、技術上の問題点の少なくとも一部を克服する、誘導デバイス、ウェブの温度とウェブの接触を制御するための方法、並びに、ウェブを誘導してウェブの温度を制御するためのローラーデバイスの利用が提示される。
【発明の概要】
【０００６】
［０００６］  上記を踏まえて、独立請求項に従う、誘導デバイス、ウェブの温度制御とウェブへの接触のための方法、並びに、ウェブへの接触とウェブの温度制御のためのローラーデバイスの利用が提示される。更なる態様、利点及び特徴は、従属請求項、明細書、及び添付図面から明らかである。
【０００７】
［０００７］  本書に記載の実施形態により、真空条件下のウェブ被覆処理でローラーデバイスに接触した状態で、ウェブを誘導し、ウェブの温度を制御するためのローラーデバイスが提供される。ローラーデバイスは、ローラーデバイスとウェブに面して接触するローラーデバイスの湾曲面の温度を調整するための温度調整システムを含む。湾曲面はローラーデバイスの軸の周りに回転可能で、ウェブ誘導領域を含む。ローラーデバイスは更に、湾曲面に配設され、ガス流の放出に適合された一群のガス排出口、並びに、ガス排出口の第１のサブグループにガス流を選択的に供給し、ガス排出口の第２のサブグループにガスが流れるのを選択的に防止するためのガス分配システムを含む。ガス排出口の第１のサブグループは、ウェブ誘導領域内の少なくとも１つのガス排出口からなり、ガス排出口の第２のサブグループは、ウェブ誘導領域外の少なくとも１つのガス排出口からなる。ローラーデバイスは更に、湾曲面を回転するための駆動ユニットを含み、湾曲面は、湾曲面が回転したときにウェブの運動を含むように適合されている。
【０００８】
［０００８］  本書に記載の一実施形態により、真空条件下のウェブ被覆処理でウェブの温度を制御する方法が提示される。方法は、温度制御されたローラーデバイスのウェブ誘導領域内で、温度制御されたローラーデバイスに接触した状態で、温度制御されたローラーデバイスの上でウェブを動かすことを含む。温度制御されたローラーデバイスからウェブまで熱遷移をもたらすように、温度制御されたローラーデバイスとウェブとの間にガスベアリングを形成するため、温度制御されたローラーデバイスに配設されたガス排出口からガスが放出される。ガスを放出することは、ウェブ誘導領域内のガス排出口の第１のサブグループを経由して、温度制御されたローラーデバイスからガス流を放出すること、並びに、ウェブ誘導領域外のガス排出口の第２のサブグループを経由してガスが流れるのを防止することを含む。
【０００９】
［０００９］  本書に記載の一実施形態により、真空条件下のウェブ被覆処理の適用で、ウェブへの接触とウェブの温度制御のためのローラーデバイスの利用が提示される。ローラーデバイスは、ローラーデバイスとウェブに面して接触するローラーデバイスの湾曲面の温度を調整するための温度調整システムを含む。湾曲面はローラーデバイスの軸の周りに回転可能で、ウェブ誘導領域を含む。ローラーデバイスは更に、湾曲面に配設され、ガス流の放出に適合された一群のガス排出口、並びに、ガス排出口の第１のサブグループにガス流を選択的に供給し、ガス排出口の第２のサブグループにガスが流れるのを選択的に防止するためのガス分配システムを含む。ガス排出口の第１のサブグループは、ウェブ誘導領域内の少なくとも１つのガス排出口からなり、ガス排出口の第２のサブグループは、ウェブ誘導領域外の少なくとも１つのガス排出口からなる。
【００１０】
［００１０］  実施形態はまた、開示された方法の各々を実行するための装置も対象とし、記載された各方法特の徴を実行するための装置部分を含む。方法の特徴は、ハードウェア構成要素を用いて、適切なソフトウェアによってプログラミングされたコンピュータを用いて、この２つの任意の組合せによって、又は、それ以外の任意の態様で実施されうる。更に、実施形態はまた、記載された装置が動作する方法、又は記載された装置が製造される方法も対象としている。方法は、この装置の機能を実行するための又は装置の部分を製造するための方法の特徴を含む。
【００１１】
［００１１］  上述の一部及び実施形態の他の詳細な態様は、以下の記述で説明され、図を参照して部分的に示されている。
【図面の簡単な説明】
【００１２】
【図１】本書に記載の実施形態によるローラーデバイスの概略断面図である。
【図２】本書に記載の実施形態によるローラーデバイスの概略断面図である。
【図３】本書に記載の実施形態によるローラーデバイスの概略断面図である。
【図４】本書に記載の実施形態によるローラーデバイスの概略側面図である。
【図５】本書に記載の実施形態によるローラーデバイスの概略側面図である。
【図６】本書に記載の実施形態によるローラーデバイスの概略側面図である。
【図７】本書に記載の実施形態によるローラーデバイスの概略断面図である。
【図８】本書に記載の実施形態による、ウェブへの接触とウェブの温度制御のための方法のフロー図を示す。
【図９】本書に記載の実施形態による、ウェブへの接触とウェブの温度制御のための方法のフロー図を示す。
【発明を実施するための形態】
【００１３】
［００１２］  図面についての以下の説明の中で、同じ参照番号は同じ構成要素を表わす。個々の実施形態に関しては、相違点のみが説明される。図面は概略図であって、必ずしもすべての実施形態で縮尺どおりに描かれているわけではなく、説明のためのものである。
【００１４】
［００１３］  ローラーデバイスは本書で説明されているように、回転軸の周りに回転対称になりうるデバイスであってよい。ローラーデバイスは円筒形で、例えば、ドラム又は凸面円筒形になりうる。ローラーはまた、円錐又は円錐台であってもよい。典型的には、ローラーデバイスは回転軸の周りに回転可能である。幾つかの実施形態では、ローラーデバイスは固定部分と、例えば、固定部分の周りに回転可能な部分を含む。例えば、ローラーデバイスは、（幾つかの実施形態ではガス分配システム又はガス分配システムの構成要素を含みうる）内側固定部分、及び、内側固定部分の周りに回転する外側回転部分を含みうる。
【００１５】
［００１４］  幾つかの実施形態によれば、ローラーデバイスは湾曲面を含む。湾曲面はローラーデバイスの表面になりうる。ローラーデバイスの湾曲面は、ローラーデバイスの動作時のウェブに、例えば、ウェブ誘導領域に接触するように適合される。本書に記載の他の任意の実施形態と組み合わされうる実施形態により、湾曲面は回転対称な面になりうる。典型的には、湾曲面は軸の周りに回転対称である。具体的には、湾曲面は、円筒形の表面、凸面円筒形の表面、円錐の表面、及び円錐台の表面からなる群から選択されうる。
【００１６】
［００１５］  幾つかの実施形態によれば、ローラーデバイスの湾曲面は、ウェブ誘導領域内でのローラーデバイスの動作中に、接触位置で（領域接触又は点接触で）ウェブに接触しうる。例えば、ローラーデバイス及び／又はウェブの湾曲面の表面特性（粗度（ｒｏｕｇｈｎｅｓｓ）など）によって、ウェブは接触位置で湾曲面に点接触している。粗度を有する湾曲面は、湾曲面の微視的な表示が「山と谷」を示すことを意味し、湾曲面とローラーデバイスとの間の点接触は、湾曲面の粗度が「山」を有する位置で起こる。他の実施形態と組み合わせうる幾つかの実施形態によると、ローラーデバイスの湾曲面の粗度は、典型的には約０．１Ｒｚから約１．５Ｒｚの間にあり、より典型的には約０．１Ｒｚから約１．０Ｒｚの間にあり、更に典型的には約０．２Ｒｚから約０．８Ｒｚの間にありうる。幾つかの実施形態では、ローラーデバイスの湾曲面の粗度は約０．２Ｒｚである。
【００１７】
［００１６］  幾つかの実施形態によれば、ローラーデバイス（特に、ローラーデバイスの湾曲面）とウェブとの間の接触は、ローラーデバイスが駆動されるときに、ウェブが移動されることを可能にする。例えば、ローラーデバイスとウェブとの間の接触、及びローラーデバイスの回転運動は、所定の（低い張力）で引っ張られた状態でウェブを運びうる。
【００１８】
［００１７］  図１は、ローラーデバイス１００の一実施形態を示す。ローラーデバイス１００は、湾曲面１０１を含む。本書に記載の幾つかの実施形態によれば、湾曲面１０１はローラーデバイスの回転軸１０２の周りに回転可能になりうる。ローラーデバイス１００の湾曲面１０１は、ウェブ誘導領域１０３を含む。ウェブ誘導領域１０３内では、ウェブ２００は湾曲面１０１に接触している。
【００１９】
［００１８］  動作中、ウェブは湾曲面のウェブ誘導領域の上を誘導される。幾つかの実施形態では、ウェブ誘導領域は、ローラーデバイスの動作中にウェブが湾曲面に接触する湾曲面の領域として定義されうる。例えば、表面が電圧によって付勢されている、或いは、一又は複数のＥチャックが湾曲面に提供されている場合には、ウェブ誘導領域のサイズは、ウェブの重量又はウェブの領域密度、動作中にウェブが引っ張られる際の張力、及び、静電力などの引力又は反発力などのパラメータに依存しうる。ウェブ誘導領域のサイズは、ラップ角（ｗｒａｐ  ａｎｇｌｅ）とも称される巻き付け角（ｅｎｌａｃｅｍｅｎｔ  ａｎｇｌｅ）に依存し、これによってウェブはローラーデバイスの湾曲面に巻き付けられる。例えば、図１では、巻き付け角は約１２０°である。
【００２０】
［００１９］  図１に示したローラーデバイス１００の実施形態は更に、湾曲面１０１内に配設された一群のガス排出口１０４を含む。ガス排出口１０４は、ローラーデバイス１００のガス分配システム１０５からガスを放出するように、具体的には、各ガス排出口が配置されている位置で、湾曲面１０１に実質的に垂直な方向に放出するように適合されている。図１に示したローラーデバイス１００の実施例では、ガス排出口はローラーデバイス１００の全周に分散されている。具体的には、ガス排出口１０４は、ローラーデバイスの全周にわたって規則的に分散されている。
【００２１】
［００２０］  「規則的に配設された」特徴とは、第１のガス排出口から第１のガス排出口に隣接する少なくとも１つのガス排出口までの距離が、第２のガス排出口から第２のガス排出口に隣接する少なくとも１つのガス排出口までの距離と同じであることと理解されたい。幾つかの実施形態では、「規則的に配設された」特徴とは、特定のパターンが複数の排出口の一部に割り当てられ、同じパターンが複数の排出口の別の部分に割り当てられうることを意味する。幾つかの実施形態では、ガス排出口は、ローラーデバイスの周囲に不規則に配設されうる。
【００２２】
［００２１］  本書に記載の他の任意の実施形態と組み合わせうる実施形態によれば、個々のガス排出口、ガス排出口の任意のサブグループ又はすべてのガス排出口は、開口部、孔、スリット、ノズル、ブラストパイプ、ダクト開口部、オリフィス、ジェット、多孔質材料によって提供される排出口などからなる群から選択されうる。幾つかの実施形態によれば、排出口は典型的な漏斗型又はカップ型の表面にある凹部で、凹部には凹部の底部から、或いは横方向からガスが供給される。本書に記載のローラーデバイスのガス排出口は、多孔質層の開口部になりうる。幾つかの実施形態によれば、ガス排出口は、本書に記載されているように、実質的に丸い形、円形、楕円形、三角形、長方形、正方形、多角形などの任意の適切な形状や、不規則な丸い形状、不規則な角のある形状、ガス排出口ごとに異なる形状などの不規則形状を有しうる。幾つかの実施形態によれば、ガス排出口は表面から突出していない。
【００２３】
［００２２］  本書で使用されているように、「実質的に」という用語は、「実質的に」で表される特性から何らかの逸脱がありうることを意味しうる。例えば、「実質的に円形の」という用語は、一方向の全体的な長さの約１〜１０％の逸脱など、正確な円形の形状からの特定の逸脱を有しうる形状を意味する。更なる実施例によれば、「実質的に垂直な」という用語は、２つの構成要素の相互の配置が、正確な垂直配置から定義された大きさだけ逸脱していることを意味しうる。例えば、「実質的に垂直な」という用語は、正確な垂直配置から最大１０°逸脱した配置を意味しうる。したがって、「実質的に」という用語の上記記載は、他の特徴にも適用されうる。
【００２４】
［００２３］  本書に記載の実施形態によるローラーデバイス１００は更に、ガス分配システム１０５を含む。幾つかの実施形態によれば、ガス分配システム１０５はガス源１０８又はメインガス供給口を含む。ガス分配システム１０５により、ガス流をガス排出口の第１のサブグループに選択的に供給することができる。例えば、ガス排出口１０４とガス分配システム１０５を有するローラーデバイス１００は、図１に例示的に示されているように、湾曲面のウェブ誘導領域１０３のガス排出口１０４にガス流を供給する。ウェブ誘導領域１０３内に（一時的に）配置されたガス排出口は、ガス排出口の第１のサブグループとして示されうる。本書に記載の幾つかの実施形態によれば、ローラーデバイス１００のガス分配システム１０５は、ウェブ誘導領域１０３外のローラーデバイスのガス排出口にガスが流れるのを選択的に防止するように適合されている。ウェブ誘導領域１０３外に（一時的に）配置されたガス排出口は、ガス排出口の第２のサブグループとして示されうる。
【００２５】
［００２４］  動作中、任意の１つのガス排出口が第１のサブグループに所属するか、第２のサブグループに所属するかは変わることがある。言い換えるならば、開放されているガス排出口はその後のある時点で閉鎖されることがあり、また、その逆もありうる。幾つかの実施形態では、ガス排出口の第１サブグループ及び／又は第２のサブグループへの所属は、湾曲面の回転に応じて動作中に変化することがある。ウェブ誘導領域は空間内の固定された位置に留まってよく、ウェブ誘導領域に入るガス排出口は、湾曲面の回転によって開放され（或いは、ガス源に接続され）、すなわち、所属は第１のサブグループに変化する。湾曲面の回転によってウェブ誘導領域を離れるガス排出口は閉鎖され（或いは、ガス源から切断され）、すなわち、所属は第２のサブグループに変化する。
【００２６】
［００２５］  本書に記載の幾つかの実施形態によるローラーデバイス１００のガス分配システム１０５は、ガス分配システムのサイズ、ガス分配システムの位置、ガス分配システムの形状と構造、ガス分配システムの力学的特性によって定義されるガス排出口へのガス流を選択的に供給、及び防止するように適合されうる。例えば、図１の実施例では、ローラーデバイスのガス分配システム１０５は、ローラーデバイスの固定部分１０６に配置された又は存在するガス源１０８（メインガス供給口とも称される）を含む。ガス源１０８は、ローラーデバイス１００の固定部分の周囲の１セクションを包含するサイズを有する。ローラーデバイス１００の湾曲面１０１は回転式で、ローラーデバイス１００の回転軸１０２の周りに、具体的には、ローラーデバイスの固定部分（例えば、ガス源を含む）の周りに回転することができる。
【００２７】
［００２６］  本書に記載の幾つかの実施形態によれば、ガス分配システム１０５はガスチャネル１０７（個別のガス排出供給口とも称される）を含みうる。各ガス排出口がウェブ誘導領域１０３内にあるとき、ガスチャネルは、ガス源１０８から湾曲面１０１のガス排出口１０４へ通じてもよい。ガスチャネルは、ガス源１０８から湾曲面１０１上のガス排出口１０４の第１のサブグループに通じてもよい。ガス源１０８とガスチャネル１０７を有するガス分配システム１０５は、部分回転式（例えば、ガスチャネル１０７）及び部分固定式（例えば、ガス源１０８）と記載されうる。ガス源１０８の周りに回転するガスチャネル１０７により、ガス分配システム１０５は、ガスチャネル１０７をガス源１０８に選択的に接続及び切断することができる。
【００２８】
［００２７］  幾つかの実施形態によれば、ガス分配システム１０５、及び、具体的には、ガス源１０８は、（図１に２つの矢印１０９で示したように）ガス排出口１０４にガス流を供給する。幾つかの実施形態では、ガス分配システム１０５によってガス排出口１０４に供給されるガス流は、ウェブ２００が湾曲面１０１に（上記で詳細に説明したように、少なくとも点接触で）接触することを可能にするガス流である。例えば、ガス流は、典型的に約１０ｓｃｃｍから約４００ｓｃｃｍの間、より典型的には約２０ｓｃｃｍから約３００ｓｃｃｍの間、なお一層典型的には約３０ｓｃｃｍから約３００ｓｃｃｍの間になりうる。幾つかの実施形態では、本書に記載の実施形態によるローラーデバイスは、湾曲面の単位面積当たりのガスの流量が典型的には約１０ｓｃｃｍ／ｍ２から約２００ｓｃｃｍ／ｍ２の間、より典型的には約２０ｓｃｃｍ／ｍ２から約１５０ｓｃｃｍ／ｍ２の間、また、更に典型的には３０ｓｃｃｍ／ｍ２から約１２０ｓｃｃｍ／ｍ２の間になるように適合されている。一実施例では、ローラーデバイスは、湾曲面の単位面積当たりのガスの流量が約１００ｓｃｃｍ／ｍ２になるように適合されうる。本書に記載の他の実施形態と組み合わせうる幾つかの実施形態によれば、ローラーデバイスは、例えば、湾曲面上のガス排出口の数、ガス排出口のサイズ、ガス分配システムの流体コンダクタンス（ｆｌｕｉｄ  ｃｏｎｄｕｃｔａｎｃｅ）、ガス源のサイズ、ガス源の容量、ガスのポンピングシステムのサイズと出力、ガスチャネルのサイズと設計、湾曲面での多孔質材料の選択及び／又は種類、湾曲面での多孔質材料の被覆にある孔の数とサイズ（以下で詳細に説明される）、ガス分配システムの設計など、ローラーデバイスの一又は複数のパラメータによって定義されたガス流量に適合されうる。
【００２９】
［００２８］  本書に記載の他の実施形態と組み合わせうる幾つかの実施形態によれば、ガス排出口の数は、特に（図１に例示的に示したように）ガスチャネルを有するローラーデバイスに関しては、典型的には２０〜１００個の間、より典型的には３０〜１００個の間、更に典型的には４０〜１００個の間である。幾つかの実施形態によれば、湾曲面はガスセクションに分割されうる。幾つかの実施形態では、各ガスセクションは幾つかのガス排出口を有する。幾つかの実施形態では、ウェブ誘導領域内のガス排出口の数は５〜２０個の間である。ローラーデバイスの多孔質層にあるガス排出口の数は（以下で詳細に説明されるように）、典型的には少なくとも５０００個で、より典型的には少なくとも６０００個で、更に典型的には少なくとも８０００個である。幾つかの実施形態によれば、ガス排出口の数は２０〜１００個の間であるか、ローラーデバイスはガス排出口を提供する多孔質層を含む。
【００３０】
［００２９］  本書に記載の他の実施形態と組み合わせうる幾つかの実施形態によれば、ガス排出口は本書で記述されているように、典型的には約０．１ｍｍ〜約１ｍｍの間の断面サイズを有しうる。断面サイズは、湾曲面でのガス排出口の最小断面として測定されうる。幾つかの実施形態では、ガス排出口の流体コンダクタンスは、典型的には約０．００１リットル／秒〜約０．１リットル／秒の間で、より典型的には約０．００５リットル／秒〜約０．０８リットル／秒の間で、更に典型的には約０．００９リットル／秒〜約０．０５リットル／秒の間になりうる。一実施形態では、ガス排出口の流体コンダクタンスは約０．０１リットル／秒になりうる。
【００３１】
［００３０］  幾つかの実施形態によれば、ローラーデバイス１００の動作中にウェブ２００の方向に供給されるガス流は、ガスベアリング（特に、流体力学的な、又は熱的なガスベアリング）をウェブ２００とローラーデバイスの湾曲面１０１との間にもたらしうる。幾つかの実施形態では、ガスベアリングはまた、ウェブと湾曲面との間の接触位置の外側に、一種の薄い又は小さなガスクッションとして示されうる。ローラーデバイスの湾曲面に接触し、ウェブと湾曲面との間にガスベアリングを有するウェブは、湾曲面のある接触位置（例えば、湾曲面の粗度によってもたらされる点位置）で接触してよく、また、接触位置の間にガスベアリングを有してもよい。ウェブの接触位置（湾曲面の領域又は点など）と湾曲面との間では、ガスベアリングはガス排出口から放出されたガス流によって形成されうる。本開示の他の実施形態と組み合わされうる典型的な実施形態によれば、ガスベアリングの圧力は、約０．１ｍｂａｒ〜約１０ｍｂａｒの間、より典型的には約１ｍｂａｒ〜約１０ｍｂａｒの間である。幾つかの実施形態では、ウェブと湾曲面との間のガスベアリングは、ローラーデバイスとウェブの湾曲面、特に、ウェブと湾曲面との間の接触位置での粗度により存在するボイドを充填しうる。ガスベアリングの厚みは、互いに接触するローラーデバイスの湾曲面とウェブの組み合わせの粗度に対応しうる。
【００３２】
［００３１］  幾つかの実施形態によれば、ガス排出口から放出されたガス流によって、複数のガスベアリングがウェブと湾曲面との間に形成される。幾つかの実施形態では、１つのガスベアリングは、ウェブと湾曲面との間の接触点又は接触領域によって遮断されるように提供される。
【００３３】
［００３２］  ウェブと湾曲面との間のガスベアリングは、ローラーデバイスの動作中に、例えば、冷却又は加熱のため、ローラーデバイスとウェブとの間に熱遷移をもたらし、熱遷移を改善しうる。例えば、ローラーデバイスは、例えば、ローラーデバイスを冷却又は加熱するための、温度調整システム（図１にチャネルを含む温度調整システム１３０として例示的に示す）を含みうる。本書に記載の実施形態によるローラーデバイスによってもたらされるガスベアリングは、ウェブとローラーデバイスとの間の熱遷移を高めるのに役立つ。本書に記載の幾つかの実施形態によれば、ウェブの被覆中、有利には、温度は定められた上限（例えば、ガラス転移温度）を下回るように維持される。例えば、堆積した被覆層の層特性は堆積温度に依存しうる。
【００３４】
［００３３］  既知のシステムでは、ガスクッションは、ウェブを非接触の方法で誘導し移送するように形成されている（本書では非接触誘導システムと称される）。非接触誘導システムでは、被覆されるウェブを運ぶことができるガスクッションを形成するため、ガスは、本書に記載の実施形態によるローラーデバイスで使用される流量の約１００倍の流量で供給される。例えば、ウェブを非接触誘導するためのガスクッションを形成するため、約３００００ｓｃｃｍの流量が使用される。高いガス流量を有する非接触ガス誘導システム、及びローラーデバイスの上でウェブを非接触誘導するためのガスクッションは、ローラーデバイスの真空環境の観点から欠点を有する。真空環境は、ローラーデバイスの上でウェブを非接触誘導するために使用されるガスクッションの量によって阻害される。ローラーデバイスの上でウェブを非接触誘導するためのガスクッションの提供には、処理品質に関する欠点がある。
【００３５】
［００３４］  本書に記載の実施形態によるローラーデバイスには、非接触誘導システムの欠点がない。ウェブに接触しているローラーデバイスは動かされ、ウェブの運動を誘発することができる。例えば、湾曲面とウェブは、ローラーデバイスの湾曲面の回転と共にウェブを移動させることを可能にする表面特性をそれぞれ提供する。幾つかの実施形態によれば、湾曲面及び／又はウェブの表面特性は、粗度、摩擦係数、材料、温度、湿度などになりうる。本書に記載の実施形態によるローラーデバイスにより、ウェブとローラーデバイスとの間の熱遷移を高めることができる。
【００３６】
［００３５］  更に、非接触誘導システムは周知のとおり、ウェブが損傷しているときには、ローラーデバイスの被覆に欠点がある。特に、ガス排出口は被覆材料によって被覆されることがある。例えば、ローラーデバイス用に多孔質材料が使用されている場合には（以下で詳細に説明されるように）、ウェブがある点で破損していると、ローラーデバイスのポアは詰まることがある。
【００３７】
［００３６］  本書に記載の実施形態によるローラーデバイスにより、既知のシステムの問題点、特に、非接触誘導システムの問題点を解決することができる。例えば、基板損傷のリスクは、ウェブの牽引力が弱くなると減少するが、これは冷却効果などの熱遷移効果が高まることで利用可能となる。堆積速度（被覆速度）が高いため、ウェブ方向への熱負荷は高くなる。高い堆積速度を利用するためには（例えば、被覆処理を加速するため）、本書に記載の実施形態によるローラーデバイスによってもたらされるように、ウェブからローラーデバイスへ向かう適切な熱接触が有用である。本書に記載の実施形態によるローラーデバイスの高い熱遷移効果は、ローラーデバイスの低い牽引力と駆動ユニットに関連している。
【００３８】
［００３７］  本書に記載の実施形態によるローラーデバイスは、例えば、２面又は両面の被覆処理で有利に利用されうる。２面又は両面の被覆処理は、ウェブの２つの面を特に連続して被覆するための処理である。第１の面が既に被覆されたウェブは、ウェブの第２の面を被覆するため、本書に記載の実施形態に従って、ローラーデバイスによって誘導される。特に、２面又は両面の被覆処理では、ウェブの移動速度は可能な限り高速に選択しうるが、ウェブ上に既に堆積した膜の膜損傷は避けなければならない。被覆面の損傷は、例えば、１面が被覆済みのウェブがローラーデバイス又はガイドローラーの上で強すぎる張力で誘導されるとき、或いは、第２の面の被覆中にウェブが熱くなりすぎるときに発生する。幾つかの実施形態によれば、ウェブの第１の面上に被覆された膜は、第２の面の被覆前に脱気されている。
脱気されたウェブは、低い熱伝導をもたらす。本書に記載の実施形態に従うローラーデバイスにより、ウェブと湾曲面との間の熱遷移を高め、（２面被覆処理で）脱気されたウェブの熱伝導の低下を補償することができる。
【００３９】
［００３８］  特に、基板がかなり遅い移動速度（例えば、約０．１ｍ／分〜１５ｍ／分の間の移動速度、典型的には、２０ｃｍ／分から１０ｍ／分までの移動速度、約１ｍ／分の移動速度など）を有し、（例えば、図１の例で矢印２０１の方向で示される）牽引力がそれぞれ小さな値である適用では、ウェブは被覆処理によって過度な程度まで加熱されうる。ウェブが被覆される間にゆっくり移動するときには、堆積処理による熱伝導は、ウェブの移動速度が速いときよりも大きくなる。ウェブの熱遷移効果が高まると、ウェブ及び／又は被覆の損傷に対するリスクは小さくなる。
【００４０】
［００３９］  ウェブの牽引力が限られていて、本書に記載の実施形態によるローラーデバイスは、動作中にローラーデバイスを回転するための、並びに、ローラーデバイス、特にローラーデバイスの湾曲面に接触しているウェブを移動するための駆動ユニット（図１に示した駆動ユニット１１０など）を含む。例えば、例として図１を参照すると、ウェブは矢印２０１の方向に、ウェブ及び／又はウェブの１つの面上の被覆への損傷を避けるため、特に弱い張力で牽引されうる。ウェブを遅い速度で牽引するための牽引力は、ローラーデバイスの回転によって支持されうる。例えば、駆動ユニットは傾向駆動（ｔｅｎｄｅｎｃｙ  ｄｒｉｖｅ）であってよい。
【００４１】
［００４０］  幾つかの実施形態によれば、本書に記載の実施形態によるローラーデバイスが使用される被覆装置に、追加の誘導ローラーデバイスが提供されてもよい。追加の誘導ローラーデバイスは、本書に記載の実施形態によるローラーデバイスの前後に配置されうる。幾つかの実施形態では、追加のローラーデバイスは、特に、本書に記載の実施形態によるローラーデバイスの前後に所定の張力を維持するために、一又は複数の駆動ユニットによって駆動されうる。
【００４２】
［００４１］  幾つかの実施形態では、本書に記載の実施形態によるローラーデバイスは、ウェブを牽引するための動力ユニット又は第２の駆動ユニットを含みうる。
【００４３】
［００４２］  本書に記載の他の実施形態と組み合わせうる幾つかの実施形態によれば、追加の駆動ユニット、第２の駆動ユニット、及び、本書に記載の実施形態によるローラーデバイスの湾曲面を動かすための駆動ユニットは、ウェブの張力又は牽引力に基づいて制御されうる。例えば、ウェブの張力は（例えば、被覆装置の幾つかの場所で）測定されてよく、追加の駆動ユニット、第２の駆動ユニット、及び、本書に記載の実施形態によるローラーデバイスの駆動ユニットは、特に、所定の張力を維持するため、或いは所定の張力に到達するため制御されうる。幾つかの実施形態では、追加のローラーデバイス、及び、本書に記載の実施形態によるローラーデバイスは、ウェブの滑りを防止するように駆動されうる。
【００４４】
［００４３］  本書に記載の実施形態で用いられるウェブは、典型的に、ウェブが屈曲可能である又は可撓性があるという点が特徴となりうる。「ウェブ」という用語は、「ストリップ」という用語と同義的に使用されうる。例えば、本書に記載の実施形態で説明されているウェブは、ホイル又は別の合成基板でありうる。例えば、ウェブは、鋼基板、ステンレス鋼基板、ポリマ基板、ＰＥＴ基板、ＣＯＰ又はＣＯＣ基板、ＰＥＮ基板、及びポリアミド基板からなる基板群から選択されうる。本書に記載の他の実施形態と組み合わせうる幾つかの実施形態によれば、ウェブは、１０μｍ〜６００μｍ、より典型的には１５μｍ〜５００μｍ、例えば、２０μｍ又は１００μｍの厚みを有する。幾つかの実施形態によれば、第２の駆動ユニットは、可撓性のあるウェブ、特に約１０μｍ〜６００μｍの間の厚みを有する可撓性のあるウェブを牽引するように適合されうる。
【００４５】
［００４４］  本書に記載の他の実施形態と組み合わせうる幾つかの実施形態によれば、ガス分配システム１０５のガス流のためのガスは、不活性ガス、アルゴン、ヘリウム、窒素、水素、シラン、及びこれらの任意の混合物からなる群から選択されうる。幾つかの実施形態では、ガス排出口から放出されるガスは、少なくとも０．０１Ｗ／ｍＫ、より典型的には少なくとも０．０５Ｗ／ｍＫ、更に典型的には少なくとも０．１Ｗ／ｍＫ、更により典型的には少なくとも０．１５Ｗ／ｍＫの熱伝導率を有するガスである。
【００４６】
［００４５］  本書に記載の実施形態によるローラーデバイスの低いガス流は、本書に記載の実施形態によるローラーデバイスが使用される被覆処理の真空環境を保護するため、シーリング（ｓｅａｌｉｎｇ）などを除外する可能性をもたらす。ウェブがローラーデバイスに接触している間に形成されるガスベアリングは、真空環境に実質的に影響を及ぼさない程度に十分に少ない（すなわち、十分の少ない量のガスを含有する）か、被覆処理に使用される真空環境を少なくとも阻害しない程度に十分に少ない。特に繊細な処理に関しては、或いは、真空環境の汚染のリスクをもっと下げなければならない場合には、幾つかの実施形態は更に、ローラーデバイスに接触しているウェブの熱遷移効果を提供し、真空環境が汚染されるのを積極的に防止するための機能を有しうる。
【００４７】
［００４６］  図２は、ローラーデバイスの実施形態を示す。ローラーデバイス１００は、被覆されるウェブ２００と接触する湾曲面１０１を有する。ウェブ２００は矢印２０１の方向に牽引されてもよく、湾曲面の回転によって更に動かされる。駆動ユニット１１０は、ローラーデバイス１００を回転するために提供される。
【００４８】
［００４７］  図２に例示したローラーデバイス１００の実施形態は、ガス源１０８とガスチャネル１０７を含むガス分配システム１０５を有する。本書に記載の幾つかの実施形態によれば、ガスチャネル１０７は、ローラーデバイスの湾曲面１０１に設けられたガス排出口１０４に、ガス源１０８を流体連結する。軸１０２の周りの湾曲面１０１の回転によって、ガス分配システム１０５の固定部分（すなわち、ガス源１０８）は、種々のガス排出口、例えば、ローラーデバイスのウェブ誘導領域のガス排出口に接続可能である。図１に関する上述の特徴は、図２の実施形態にも適用されうる。
【００４９】
［００４８］  図２に示したように、本書に記載の実施形態によるローラーデバイス１００は更に、ガス排出口群の中の一又は複数のガス排出口に選択的に真空を供給するための真空生成システムを提供する。ガス源と同様に、真空生成システム１１１は、具体的には、ローラーデバイス１００の回転によって、ガスチャネル１０７に選択的に接続可能である。幾つかの実施形態では、真空生成システムは、ローラーデバイスの固定部分に配置されうる。具体的には、ガス排出口１０４を有するローラーデバイス１００の湾曲面１０１は、ローラーデバイス１００の動作中に真空生成システム１１１の周りを回転する。
【００５０】
［００４９］  真空生成システムは、真空生成システムに現在接続されているガスチャネル１０７を経由して、吸引を行うポンプ（真空ポンプなど）を含みうる。例えば、図２の矢印１１２は真空生成システムの吸引を示す。幾つかの実施形態によれば、真空生成システムは、ウェブを離れて真空生成システム１１１に向かう方向の吸引を行う。真空生成システムにより、ウェブとウェブに接触しているローラーデバイスとの間に流体力学的なサーマルベアリング（ｈｙｄｒｏｄｙｎａｍｉｃ  ｔｈｅｒｍａｌ  ｂｅａｒｉｎｇ）を形成するようにガス源から放出されたガスは、具体的には、ウェブがウェブ誘導領域を離れる前に、或いは、ウェブがローラーデバイスの湾曲面にこれ以上接触する前に除去されてもよい。ローラーデバイスの真空環境は、真空生成システムによって保護される。
【００５１】
［００５０］  図３は、本書に記載の実施形態によるローラーデバイス１００を示す。ローラーデバイス１００は、図１に例示的に示したローラーデバイスと同様である。図１に関して説明される（詳細な）特徴はまた、図３の実施形態にも適用されうる。図３のローラーデバイス１００の実施形態は更に、シーリングを含む。幾つかの実施形態では、シーリングは、例えば（少なくとも部分的に伸縮性のある）材料から作られたシーリングデバイスなど、複数個の単一シーリングデバイス１１３から作られうる。幾つかの実施形態によれば、シーリングデバイスは、例えば、リップシーリングデバイスであってもよい。シーリングは、ローラーデバイス１００の真空環境の中へガスベアリングのガスが広がるのを防止又はその量を限定しうる。幾つかの実施形態では、シーリングデバイスは、被覆される予定のウェブ及び被覆処理の真空条件に関して、ガス流を密閉する。例えば、シーリングデバイスは、具体的には少なくとも１つの面で、ローラーデバイスの真空環境からガスベアリングを密閉する。
【００５２】
［００５１］  シーリングデバイス１１３は、ローラーデバイス１００の円周方向に対して実質的に垂直な方向に配置されうる。幾つかの実施形態によれば、シーリングデバイス１１３は、ローラーデバイス１００の半径方向に対して実質的に垂直に配置されうる。幾つかの実施形態では、シーリングデバイス１１３は、ローラーデバイス１００の幅方向に配置されるように説明されうる。
【００５３】
［００５２］  図４〜図６は、ローラーデバイス１００の概略的な上面図を、具体的には図３に示された矢印１１５の方向に示す。上面図は、ローラーデバイスの湾曲面１０１、ガス排出口１０４、及びシーリングを示す。図４は、ローラーデバイス１００の幅方向に延在するシーリングデバイス１１３を含むローラーデバイス１００のシーリングを示す。シーリングデバイス１１３は、ローラーデバイス１００の湾曲面１０１をセグメントに分割する。幾つかの実施形態では、セグメントは、被覆装置の１つのコンパートメントから別のコンパートメントまでの空間よりも小さい。
【００５４】
［００５３］  図５では、シーリングは、ローラーデバイスの幅方向に延在するシーリングデバイス１１３、及び、ローラーデバイス１００の湾曲面１０１上のほぼ円周方向に延在する円周方向シーリングデバイス１１４を含む。図５に示した２つの円周方向シーリングデバイス１１４は、互いに一定の距離を有しうる。例えば、２つの円周方向シーリングデバイス１１４の間の距離は被覆されるウェブに応じて選択されうる。幾つかの実施形態では、円周方向シーリングデバイス１１４は、個々の被覆及びそれぞれのウェブ幅に合わせて調整可能である。
【００５５】
［００５４］  幾つかの実施形態によれば、シーリングは、ウェブの背面に加圧ポケットを個別に提供しうる（すなわち、ウェブの側面は現時点では、ローラーデバイスの動作中に被覆されない）。具体的には、図２に関連して説明されている真空生成システムが本書に記載のようにシーリングと結合されると、シーリングによって形成された各ポケットは（例えば、シーリングデバイス１１３は円周方向シーリングデバイス１１４と共に）個別の圧力をもたらす。個々のポケットの圧力は、ポケットの回転位置に依存しうる。
【００５６】
［００５５］  本書に記載の他の実施形態と組み合わせうる幾つかの実施形態によれば、ローラーデバイスの湾曲面のガス排出口は、（例えば、図４及び図５に示したように）ローラーデバイスの幅方向のほぼ中心の位置に配置されうる。幾つかの実施形態では、ガス排出口は湾曲面の任意の適切な位置に配置されうる。例えば、ガス排出口は、ローラーデバイスの幅方向の片側に一列で配置されうる。幾つかの実施形態によれば、ガス排出口は個別に配置されうる。
【００５７】
［００５６］  図６はローラーデバイス１００の概略平面図を示しており、湾曲面１０１は湾曲面の側面の位置にガス排出口１０４を有し、幅方向の中心位置からは少し離れている。図６では、シーリングは円周方向シーリングデバイス１１４のみによって提供される。
【００５８】
［００５７］  本書に記載の幾つかの実施形態によれば、例えば、ローラーデバイスを様々なウェブ幅に適合させるため、湾曲面はローラーデバイスの幅方向に分割されうる。例えば、ローラーデバイスは、典型的には約０．５〜約２ｍの間の、より典型的には約１ｍ〜約２ｍの間の、また、更により典型的には約１．２ｍ〜約１．８ｍの間のウェブ幅に適合されうる。幾つかの実施形態では、ローラーデバイスは約１ｍ〜１．４ｍの間のウェブ幅に適合可能になりうる。セグメントへの分割は、異なる数のガス排出口、湾曲面上の異なる密度のガス排出口、異なるサイズのガス排出口など、ガス排出口に適合した分配をもたらしうる。幾つかの実施形態では、ガス源は、ローラーデバイスの（特に幅方向の）異なるセグメントにガスを供給する種々のセクションに分割可能になりうる。
【００５９】
［００５８］  本書に記載の他の実施形態と組み合わせることができる幾つかの実施形態によれば、ローラーデバイスは、一又は複数のＥチャックデバイスを有しうる。具体的には、一又は複数のＥチャックデバイスはウェブを保持してもよく、及び／又は、ローラーデバイスの湾曲面に接触するウェブを保持するための引力を提供してもよい。幾つかの実施形態によれば、（例えば、湾曲面の構造、シーリングによって提供される、幾つかの実施形態では仮想的になりうる別のパーティションによって提供される）湾曲面の各セグメントは、個々のＥチャックタイルを含みうる。個々のＥチャックタイルは、例えば、ローラーデバイスの回転位置に応じて、ウェブに適切な引力を提供しうる。幾つかの実施形態では、個々のＥチャックタイルは、ウェブ誘導領域内外のセグメントの位置に応じて動作されるように制御される。幾つかの実施形態によれば、Ｅチャックタイルは、ガス分配システム１０５のガス源１０８に関して、及び／又は真空生成システム１１１に関して、各セグメントの位置に応じて動作されるように制御されうる。幾つかの実施形態では、ローラーデバイスは、ローラーデバイスの回転位置、特に各セグメントの回転位置を検知するためのセンサ及び制御ユニットを含みうる。制御ユニットは、検知したデータに応じてＥチャックの動作を制御しうる。
【００６０】
［００５９］  図７は、ローラーデバイス１００の一実施形態を示す。図７に例示的に示したローラーデバイス１００は、ガス源１０８を含むガス分配システムを含む。ガス源１０８は、ローラーデバイス１００の固定部分に配置されうる。ローラーデバイス１００の湾曲面１０１は、ローラーデバイス１００の回転軸１０２の周りに回転可能である。ローラーデバイス１００の湾曲面１０１は、ウェブ誘導領域１０３を含む。ウェブ２００は、矢印２０１の方向に牽引されうる。駆動ユニット１１０は、湾曲面１０１を回転するために、具体的には、湾曲面に接触しているウェブを動かすために提供される。
【００６１】
［００６０］  本書に記載の他の実施形態と組み合わせうる幾つかの実施形態によれば、図７に示したローラーデバイス１００は、多孔質層１２３を支持するためのバッキング構造１２０を含む。多孔質層１２３は、ローラーデバイス１００によって誘導されるウェブ２００に接触している湾曲面１０１を提供する。多孔質層１２３は更に、ローラーデバイスの動作中に、ウェブ誘導領域１０３内のウェブ２００の方向にガスを放出するためのガス排出口１０４を提供する。幾つかの実施形態では、バッキング構造は、ガス放出のための支持バー１２１及び領域１２２を含みうる。具体的には、支持バー１２１と領域１２２は、ローラーデバイスの円周上に交互に配置される。
【００６２】
［００６１］  幾つかの実施形態によれば、多孔質層１２３は、材料の多孔性によって、複数のガス排出口を提供する多孔質材料から作られうる。多孔質材料は、特に、Ｈｅ、Ａｒ、及び／又はＨ２をウェブの方向に放出するのに適しうる。例えば、多孔質材料は、典型的には、約６０％〜約８５％の間の、より典型的には、約６５％〜約８０％の間の、更により典型的には、約６５％〜約７５％の間の密度を有しうる。一実施例では、多孔質材料は約７０％の密度を有する。幾つかの実施形態では、多孔質材料は焼結材料であってもよい。例えば、多孔質材料は、ステンレス鋼、焼結ステンレス鋼、アルミニウム、クロム、又は金属合金であってよい。
【００６３】
［００６２］  幾つかの実施形態によれば、多孔質材料は、多孔質材料、及び動作中にウェブに接触する湾曲面の粗度に影響するため、例えば、研磨されるなど、処理が施されうる。本書に記載の他の実施形態と組み合わせることができる幾つかの実施形態によれば、多孔質材料は、多孔質材料よりも低い粗度を有する材料層によって被覆されうる。例えば、多孔質材料はＣｒ層などの金属層で被覆されうる。幾つかの実施形態によれば、多孔質層の上の被覆層、又は多孔質層自体は、穿孔、レーザー切断などによって層の中へ処理される追加のガス排出口を有しうる。
【００６４】
［００６３］  本書に記載の幾つかの実施形態によれば、本書に記載の実施形態によるローラーデバイスは温度制御されたローラーデバイスであってよい。温度制御されたローラーデバイスは、湾曲面とウェブとの間の熱遷移によって、特にガスベアリングを介した高い熱遷移によって、ウェブが冷却されることを可能にする。
【００６５】
［００６４］  例えば、本書に記載の実施形態によるローラーデバイスは、図１に例示的に示した温度調整システム１３０などのような、温度調整システムを含みうる。本書に記載の実施形態によるローラーデバイスの温度調整システムは、ローラーデバイスの冷却又は加熱のために、ローラーデバイスに配設されたチャネルのシステムを含みうる。ローラーデバイスの温度調整システムのチャネルは表面に近接して配設されうる。「近接して」という用語は、チャネルの表面に向けられた面と表面との間の距離が、典型的には５ｃｍ未満、より典型的には２．５ｃｍ未満、更により典型的には１ｃｍ未満であることに関係している。チャネルは典型的には、流体を受容するように適合される。流体は、冷却及び／又は加熱に適した流体で、冷却流体と称される。
【００６６】
［００６５］  本書に記載の他の実施形態と組み合わせうる幾つかの実施形態によれば、ローラーデバイスは、典型的には約−３０°Ｃ〜約＋１７０°Ｃの間、より典型的には約−２０°Ｃ〜約＋１５０°Ｃの間、また、更により典型的には約−２０°Ｃ〜約＋８０°Ｃの間の温度に制御されうる。具体的には、最大１００°Ｃまでの温度では、更により具体的には室温以下の温度では、冷却流体は典型的には水グリコール混合液である。他の適用では、特に表面が加熱される適用では、冷却流体は典型的には熱伝導オイルである。使用された冷却流体は、典型的には最大４００°Ｃまで、より典型的には最大３００°Ｃまでの温度に適している。本書に記載の実施形態で典型的に使用される熱伝導オイルは、ナフテン又はパラフィンなど、石油に基づいて作られる。代替的に、熱伝導オイルは異性体混合物などの合成物質になりうる。
【００６７】
［００６６］  本書に記載の他の実施形態と組み合わせうる幾つかの実施形態によれば、ローラーデバイスは典型的には０．１〜４ｍの範囲の、より典型的には０．５〜２ｍの範囲の、例えば、０．６ｍ、１．０ｍ、又は１．４ｍの幅を有しうる。幾つかの実施形態によれば、ローラーデバイスは、最大２ｍの幅を有するウェブを誘導するように適合されうる。ローラーデバイスの高さは、５ｃｍから２ｍまで変化しうる。
【００６８】
［００６７］  ローラーデバイスは、ウェブ被覆処理の適用、例えば、真空堆積処理、化学気相堆積（ＣＶＤ）、物理的気相堆積（ＰＶＤ）、例えば、蒸発又はスパッタリング又はプラズマ化学気相堆積（ＰＥＣＶＤ）で使用されるように適合可能である。ローラーデバイスは、可撓性光起電ウェブ、可撓性電子部品、可撓性ディスプレイ、ハイバリア被覆の工業生産、及びパッケージ材料処理で使用可能である。例えば、被覆は材料の蒸発又はスパッタリングによって実行されうる。幾つかの実施形態では、被覆材料は、アモルファスシリコン、プロト結晶シリコン、酸化ケイ素（ＳｉＯ２）、ナノ結晶シリコン、透明導電性酸化物（ＴＣＯ）層材料、インジウムスズ酸化物（ＩＴＯ）、亜鉛酸化物（ＺｎＯ）、アルミニウムドープした亜鉛酸化物（ＺＡＯ）、銅（Ｃｕ）、ＣｕＮｉ、銀（Ａｇ）、アルミニウム（Ａｌ）及びモリブデン（Ｍｏ）などの接触層材料からなる群から選択される。
【００６９】
［００６８］  幾つかの実施形態によれば、被覆装置が提供される。被覆装置は、本書に記載の任意の実施形態による少なくとも１つのローラーデバイスが内部に配置された真空チャンバを含む。被覆装置は、真空チャンバを排気するための少なくとも１つの真空ポンプを含む真空システムを含みうる。更に、本書に記載の他の任意の実施形態と組み合わせうる実施形態によれば、被覆装置は、被覆材料源など、ウェブを被覆するための少なくとも１つの被覆ツールを含みうる。被覆ツールは、例えば、ＣＶＤ、ＰＶＤ、プラズマ化学気相堆積（ＰＥＣＶＤ）及びスパッタリングを含む群から選択されうる。更に、被覆装置は、本書に記載の実施形態によるローラーデバイスを含む。
【００７０】
［００６９］  本書に記載の他の任意の実施形態と組み合わせうる幾つかの実施形態では、ウェブ温度制御と誘導が真空条件下で行われる。例えば、真空チャンバ内の圧力は、１０−５ｍｂａｒから２０ｍｂａｒまで、具体的には１０−４ｍｂａｒから１０−２ｍｂａｒまで変化しうる。幾つかの実施形態によれば、真空チャンバ内の真空圧は局所的に変化しうる。具体的には、処理ガスが存在する被覆領域内で、スパッタの適用では、例えば、窒素又はアルゴンを処理ガスとして、真空圧は典型的に１０−４ｍｂａｒから１０−２ｍｂａｒまで変化しうる。また、ＣＶＤ又はＰＥＣＶＤの適用では、例えば、処理ガスとして水素及び／又はシランを使用して、１ｍｂａｒから１０ｍｂａｒまで変化しうる。被覆領域外では、真空圧は被覆領域内の圧力を下回りうる。勾配は典型的には、真空ポンプシステムによって維持される。スパッタリングは典型的には、１０−２ｍｂａｒ〜１０−４ｍｂａｒの圧力下で実行される。
【００７１】
［００７０］  本書に記載の他の実施形態と組み合わせることができる幾つかの実施形態によれば、ローラーデバイスは非回転式湾曲面を有しうる。例えば、ローラーデバイス表面の湾曲面は、楕円形又は部分的に楕円形の断面など、長円形又は部分的な長円形を含みうる。
【００７２】
［００７１］  本書に記載の実施形態によれば、真空条件下のウェブ被覆処理でウェブの温度を制御する方法が提供される。図８は、本書に記載の実施形態による、温度を制御するための方法のフロー図を示す。ブロック８０１では、方法は、被覆されるウェブを温度制御されたローラーデバイスの上に移動することを含む。具体的には、温度を制御する方法は、２面被覆処理でウェブの温度を制御する方法になりうる。被覆されるウェブは、１つの面に被覆を既に有しうる。幾つかの実施形態では、被覆されるウェブ、或いは１つの面に既に被覆を有するウェブは、可撓性のあるウェブなど、上記で詳細に説明したウェブになりうる。本書に記載の実施形態によれば、ローラーデバイスの上を移動するウェブは、ローラーデバイスの湾曲面に接触して止まる。例えば、ウェブとローラーデバイスとの間の接触は、上記で詳細に説明したように点接触になりうる。ローラーデバイスに関連して説明した上記の特徴は、そのようなものとして同様に本方法に適用されうる。
【００７３】
［００７２］  幾つかの実施形態によれば、温度制御されたローラーデバイスは、例えば、ローラーデバイスを冷却又は加熱するための冷却チャネル又は加熱チャネルを含む、温度調整システムを含みうる。ウェブは、図１のウェブ誘導領域１０３に例示的に示したように、ウェブは温度制御されたローラーデバイスのウェブ誘導領域でローラーデバイスに接触している。
【００７４】
［００７３］  図８のフロー図のブロック８０２は、温度制御されたローラーデバイスに、具体的には、温度制御されたローラーデバイスの湾曲面に配設されたガス排出口からガスを放出することを含む。例えば、ガスは、温度制御されたローラーデバイスのガスチャネルによって、湾曲面のガス排出口に流体接続されているガス源によって供給されうる。幾つかの実施形態によれば、ガス源は、温度制御されたローラーデバイスの固定部分に配置されてよく、ガスチャネル並びにガス排出口は温度制御されたローラーデバイスの回転可能部分に配置されてよい。ガス排出口から放出されるガスは、温度制御されたローラーデバイスからウェブまで熱遷移を提供するため、温度制御されたローラーデバイスとウェブとの間にガスベアリングを形成する。上記で詳細に説明したように、ウェブと湾曲面は互いに点接触して停止しうる。ガスベアリングは、ウェブとローラーデバイスの湾曲面とが点接触するときの点間に形成されうる。
【００７５】
［００７４］  幾つかの実施形態によれば、ガス流は、ウェブ誘導領域内のガス排出口の第１のサブグループを経由して、温度制御されたローラーデバイスから放出される。例えば、ガス源は、ガス排出口（すなわち、ウェブ誘導領域内のガス排出口）の一部分だけに、或いはガス排出口の第１のサブグループに、ガス源からのガス流が供給されるように、配置される。
【００７６】
［００７５］  ブロック８０３では、ガスは、ガス排出口の第２のサブグループを経由して、ウェブ誘導領域外へ流れないよう防止されている。ガス排出口の第１又は第２のサブグループを開閉することで、ガス流の放出又は防止は有効になりうる。具体的には、ガス排出口の第１のサブグループを開放することは、第１のサブグループをガス源に接続することを含みうる。「接続すること」という用語は、特に、「流体連通すること」を含む。同様に、第２のサブグループを閉鎖することは、第２のサブグループをガス源から切断することを含みうる。
【００７７】
［００７６］  例えば、ガス源は、ガス排出口の第１のサブグループがガス源に流体連通され、一方でガス排出口の第２のサブグループがガス源から切断されるように、設計され配置されている。一実施例では、ガス源は、ローラーデバイスの円周の一部（扇形など）の上に延在するように設計されうる。他の実施形態と組み合わせうる幾つかの実施形態によれば、ガス排出口を含むローラーデバイスの湾曲面は、第１のサブグループがウェブ誘導領域のガス源を通過し（接続され）、ローラーデバイスの第２のサブグループはウェブ誘導領域外にあって、ガス源から切断されるように、回転される。幾つかの実施形態では、ローラーデバイス、具体的にはローラーデバイスのガス分配システムは、ウェブ誘導領域内のガス排出口の第１のサブグループにガス源を接続することができるガスチャネルを含む。幾つかの実施形態では、ローラーデバイス、特にローラーデバイスの湾曲面は、図７に例示的に示したように、ガス排出口を提供するための多孔質材料層を含む。
【００７８】
［００７７］  図９は、ウェブを誘導するための、また、温度制御されたローラーデバイスによってウェブの温度を制御するための方法の一実施形態のフロー図を示す。ブロック８０１〜８０３は、図８の実施形態に関しては、上述と同じになりうる。ブロック８０４では、方法は更に、駆動ユニットによって温度制御されたローラーデバイスを駆動することを含む。図１は、ウェブ２００が矢印２０１の方向に牽引される実施例を示す。牽引されるウェブから得られるウェブの運動は、ローラーデバイスを駆動しうるか、少なくともローラーデバイスの回転運動を開始しうる。駆動ユニットは、ローラーデバイスの湾曲面を回転しうる。
【００７９】
［００７８］  幾つかの実施形態によれば、ガスは、３０ｓｃｃｍ〜３００ｓｃｃｍの流量でガス排出口から放出される。例えば、ガス流は、被覆ドラムのサイズと被覆幅に依存する。幾つかの実施形態では、湾曲面の単位面積当たりの流量は、典型的には約１０ｓｃｃｍ／ｍ２〜約２００ｓｃｃｍ／ｍ２で、より具体的には約２０ｓｃｃｍ／ｍ２〜約１５０ｓｃｃｍ／ｍ２で、更により具体的には約３０ｓｃｃｍ／ｍ２〜約１２０ｓｃｃｍ／ｍ２になりうる。一実施例では、湾曲面の単位面積当たりの流量は、典型的には約１００ｓｃｃｍ／ｍ２になりうる。本書に記載の他の実施形態と組み合わせうる幾つかの実施形態によれば、湾曲面上のガス排出口の数は、ローラーデバイスの湾曲面の１ｍ２あたりの数は典型的には２０００〜２００００個、より典型的には４０００〜１５０００個、更により典型的には５０００〜１００００個になりうる。幾つかの実施形態によれば、ローラーデバイスの湾曲面は、セクションに分割されうる。例えば、典型的には１０〜５０セグメント、より典型的には１５〜４０セグメント、更により典型的には２０〜３０セグメントになりうる。幾つかの実施形態では、１セクション当たりのガス排出口の数は、２０〜１００個になりうる。幾つかの実施形態では、ローラーデバイスはガス排出口を提供する多孔質層を含む。幾つかの実施形態では、ウェブ誘導領域内のガス排出口の数は１００〜１００００個である。
【００８０】
［００７９］  幾つかの実施形態では、真空被覆処理でウェブを被覆するための方法は、本書に記載の実施形態によるウェブの温度を制御するための方法を含んで提供される。
【００８１】
［００８０］  幾つかの実施形態によれば、ウェブの温度を制御するための方法は、２面又は両面の被覆処理で使用されうる。例えば、基板の第１の面が既に被覆されている場合、ウェブの第２の面の誘導及び被覆処理では、ウェブに対する牽引力は被覆層の損傷を防ぐため制限される。更に、高い堆積速度は、被覆処理により被覆処理中のウェブの加熱を高める。ウェブ上での熱負荷は高くなる。熱負荷が高くなると、基板損傷のリスクが高まりうる。本書に記載の実施形態による方法でのウェブの温度制御は、適切な堆積速度でのウェブの被覆を可能にし、同時に、不適切な高温からウェブを保護し、結果的に、例えばウェブ損傷のリスクを低下させる。
【００８２】
［００８１］  本書に記載の実施形態により、真空条件下でのウェブ被覆処理の適用で、ウェブに接触し、ウェブの温度を制御するためのローラーデバイスの利用が記述される。ローラーデバイスは、ローラーデバイスを冷却するための冷却システムなど、図１に例示的に示した温度調整システム１３を含む。ウェブに接触し、ウェブの温度を制御するために使用されるローラーデバイスは、ウェブに面して、ウェブに接触するための湾曲面を更に含む。湾曲面はローラーデバイスの軸の周りに回転可能で、ウェブ誘導領域を含む。図１及び図７では、ウェブ誘導領域が参照符号１０３で例示的に示されている。ローラーデバイスは、湾曲面内に配設され、特に、温度制御され、ローラーデバイスが接触するウェブの方向に、ガス流を放出するように適合されたガス排出口の群を含む。
【００８３】
［００８２］  本書に記載の実施形態によれば、ローラーデバイスは、ガス排出口の第１のサブグループにガス流を選択的に供給し、ガス排出口の第２のサブグループにガスが流れるのを選択的に防止するためのガス分配システムを含む。ガス排出口の第１のサブグループは、ウェブ誘導領域内の少なくとも１つのガス排出口からなり、ガス排出口の第２のサブグループは、ウェブ誘導領域外の少なくとも１つのガス排出口からなる。
【００８４】
［００８３］  幾つかの実施形態では、真空被覆処理中にウェブを温度制御し、ウェブに接触するためのローラーデバイスの利用は、上記に例示的に説明した特徴を利用しうる。
【００８５】
［００８４］  幾つかの実施形態によれば、本書に記載の実施形態によるローラーデバイスの利用は、上記で詳細に説明したように、ウェブの２面又は両面の被覆処理で行われる。幾つかの実施形態では、ウェブの温度制御及びウェブの接触に使用されるローラーデバイスは、ローラーデバイスの湾曲面を回転するための駆動ユニットを含みうる。幾つかの実施形態によれば、ウェブの温度制御及びウェブの接触に使用されるローラーデバイスは、図１〜図７に示されているローラーデバイスであってよく、上記で詳細に説明されている。
【００８６】
［００８５］  幾つかの実施形態によれば、ウェブをローラーデバイスの湾曲面に接触させることは、ウェブの温度を制御するため特に有用である。上記で詳細に説明したように、ウェブとローラーデバイスとの接触位置の間にもたらされる点接触とガスベアリングは、（冷却された）ローラーデバイスとウェブとの間の熱遷移を高める。ウェブと湾曲面との間の有効な熱遷移が提供可能であり、被覆処理の質を高めることができる。
【００８７】
［００８６］  ローラーデバイス自体、或いは本書に記載の実施形態によるローラーデバイスを含む被覆装置に関して上述されたすべての特徴は、本書に記載の方法の実施形態及び使用の実施形態に適用されうることを理解されたい。
【００８８】
［００８７］  以上の説明は実施形態を対象としているが、本開示の基本的な範囲を逸脱せずに他の実施形態及び更なる実施形態を考案してもよく、本開示の範囲は、添付の特許請求の範囲によって定められる。
【図１】
2019517970.tif 000003
【図２】
2019517970.tif 000004
【図３】
2019517970.tif 000005
【図４】
2019517970.tif 000006
【図５】
2019517970.tif 000007
【図６】
2019517970.tif 000008
【図７】
2019517970.tif 000009
【図８】
2019517970.tif 000010
【図９】
2019517970.tif 000011
【手続補正書】
【提出日】平成31年2月7日(2019.2.7)
【手続補正１】
【補正対象書類名】特許請求の範囲
【補正対象項目名】全文
【補正方法】変更
【補正の内容】
【特許請求の範囲】
【請求項１】
真空条件下のウェブ被覆処理でローラーデバイスに接触した状態で、ウェブ（２００）を誘導し、前記ウェブ（２００）の温度を制御するためのローラーデバイス（１００）であって、
−  前記ローラーデバイス（１００）の温度を調整するための温度調整システム（１３０）と、
−  前記ウェブ（２００）に面して接触するための前記ローラーデバイス（１００）の湾曲面（１０１）であって、前記ローラーデバイスの軸（１０２）の周りに回転可能で、ウェブ誘導領域（１０３）を含む湾曲面（１０１）と、
−  前記湾曲面（１０１）に配設され、ガス流の放出に適合された一群のガス排出口（１０４）と、
−  前記ガス排出口（１０４）の第１のサブグループに前記ガス流を選択的に供給し、前記ガス排出口（１０４）の第２のサブグループに前記ガスが流れるのを選択的に防止するためのガス分配システム（１０５）であって、前記ガス排出口の前記第１のサブグループは、前記ウェブ誘導領域（１０３）内の少なくとも１つのガス排出口からなり、前記ガス排出口の前記第２のサブグループは、前記ウェブ誘導領域（１０３）外の少なくとも１つのガス排出口からなる、ガス分配システム（１０５）と、
−  前記湾曲面（１０１）を回転するための駆動ユニット（１１０）であって、前記湾曲面（１０１）は、前記湾曲面が回転したときに前記ウェブ（２００）の運動を含むように適合されている、駆動ユニット（１１０）と
を備えるローラーデバイス（１００）。
【請求項２】
前記ローラーデバイスは、２０ｓｃｃｍ／ｍ２から１５０ｓｃｃｍ／ｍ２の間のガス流を供給するように適合されている、請求項１に記載のローラーデバイス。
【請求項３】
前記湾曲面（１０１）は、前記ウェブ（２００）と前記ローラーデバイス（１００）との点接触を可能にし、前記ガス流が前記ウェブと前記湾曲面との間の異なる接触位置間のボイドを充填することを可能にする粗度を備える、請求項１又は２に記載ローラーデバイス。
【請求項４】
前記ローラーデバイス（１００）は更に、被覆される前記ウェブ（２００）及び前記ウェブ被覆処理の前記真空条件に関して、前記ガス流を密閉するための一又は複数のシーリングデバイス（１１３、１１４）を備える、請求項１から３のいずれか一項に記載のローラーデバイス。
【請求項５】
前記ローラーデバイス（１００）は更に、前記一群のガス排出口（１０４）のうちの一又は複数の前記ガス排出口に真空を選択的に供給するための真空生成システム（１１１）を含む、請求項１から４のいずれか一項に記載のローラーデバイス。
【請求項６】
前記ガス排出口（１０４）の各々が前記第１のサブグループ又は前記第２のサブグループのどちらに所属するかは、前記湾曲面（１０１）の回転に応じて変化する、請求項１から５のいずれか一項に記載のローラーデバイス。
【請求項７】
前記ガス分配システム（１０５）は、ガス源（１０８）と、前記ガス排出口（１０４）と流体連通している個々のガスチャネル（１０７）であって、前記ガス源（１０８）を前記ガス排出口（１０４）の前記第１のサブグループに選択的に接続し、前記ガス排出口（１０４）の前記第２のサブグループから前記ガス源（１０８）を選択的に切断するように適合された個々のガスチャネル（１０７）とを備える、請求項１から６のいずれか一項に記載のローラーデバイス。
【請求項８】
前記ガス源（１０８）は非回転式で、前記ガスチャネル（１０７）は前記湾曲面（１０１）と共に回転可能で、前記ガスチャネル（１０７）は、回転時の前記ガス源（１０８）に対するその相対位置に応じて、前記ガス源（１０８）に対して選択的に接続又は切断するように適合される、請求項７に記載のローラーデバイス。
【請求項９】
前記ガス排出口（１０４）は、前記湾曲面（１０１）の多孔質材料（１２３）の層によって提供される、請求項１から８のいずれか一項に記載のローラーデバイス。
【請求項１０】
真空条件下のウェブ被覆処理でウェブ（２００）の温度を制御するための方法であって、
−  温度制御されたローラーデバイスのウェブ誘導領域（１０３）内で、前記温度制御されたローラーデバイスに接触した状態で、前記温度制御されたローラーデバイス（１００）の上で前記ウェブ（２００）を動かすこと、
−  前記温度制御されたローラーデバイス（１００）から前記ウェブ（２００）まで温度遷移をもたらすように、前記温度制御されたローラーデバイスと前記ウェブとの間にガスベアリングを形成するため、前記温度制御されたローラーデバイス（１００）に配設されたガス排出口（１０４）からガスを放出することであって、前記ウェブ誘導領域（１０３）内の前記ガス排出口（１０４）の第１のサブグループを経由して、前記温度制御されたローラーデバイス（１００）からガス流を放出することを含む、ガスを放出すること、
−  前記ウェブ誘導領域（１０３）外の前記ガス排出口（１０４）の第２のサブグループを経由して前記ガスが流れるのを防止すること
を含む、方法。
【請求項１１】
駆動ユニット（１１０）によって、前記温度制御されたローラーデバイス（１００）を回転することを更に含み、湾曲面（１０１）の回転は前記ウェブ（２００）の運動を含む、請求項１０に記載の方法。
【請求項１２】
前記ガス排出口（１０４）から前記ガスを放出することは、３０ｓｃｃｍから３００ｓｃｃｍの間の流量で前記ガスを放出することを含む、請求項１０又は１１に記載の方法。
【請求項１３】
真空条件下のウェブ被覆処理の適用で、ウェブ（２００）への接触とウェブ（２００）の温度制御のためのローラーデバイス（１００）の利用であって、前記ローラーデバイスは、
−  前記ローラーデバイス（１００）の温度を調整するための温度調整システム（１３０）と、
−  前記ウェブ（２００）に面して接触する前記ローラーデバイス（１００）の湾曲面（１０１）であって、前記ローラーデバイスの軸（１０２）の周りに回転可能でウェブ誘導領域（１０３）を含む、湾曲面（１０１）と、
−  前記湾曲面（１０１）に配設され、ガス流を放出するように適合された一群のガス排出口（１０４）と、
−  前記ガス排出口（１０４）の第１のサブグループに前記ガス流を選択的に供給し、前記ガス排出口（１０４）の第２のサブグループに前記ガスが流れるのを選択的に防止するためのガス分配システム（１０５）とを備え、
−  前記ガス排出口の前記第１のサブグループは、前記ウェブ誘導領域（１０３）内の少なくとも１つのガス排出口からなり、前記ガス排出口の前記第２のサブグループは、前記ウェブ誘導領域（１０３）外の少なくとも１つのガス排出口からなる、ローラーデバイス（１００）の利用。
【請求項１４】
前記ローラーデバイス（１００）は、請求項１から９のいずれか一項に記載のローラーデバイスである、請求項１３に記載のローラーデバイスの利用。
【請求項１５】
前記ローラーデバイス（１００）は、前記ウェブの２面被覆処理で利用される、請求項１３又は１４に記載のローラーデバイスの利用。
【手続補正３】
【補正対象書類名】明細書
【補正対象項目名】００２７
【補正方法】変更
【補正の内容】
【００２７】
［００２６］  本書に記載の幾つかの実施形態によれば、ガス分配システム１０５はガスチャネル１０７（個別のガス排出供給口とも称される）を含みうる。本書に記載のガスチャネルは個別のガスチャネルであってよい。各ガス排出口がウェブ誘導領域１０３内にあるとき、ガスチャネルは、ガス源１０８から湾曲面１０１のガス排出口１０４へ通じてもよい。ガスチャネルは、ガス源１０８から湾曲面１０１上のガス排出口１０４の第１のサブグループに通じてもよい。ガス源１０８とガスチャネル１０７を有するガス分配システム１０５は、部分回転式（例えば、ガスチャネル１０７）及び部分固定式（例えば、ガス源１０８）と記載されうる。ガス源１０８は非回転式であってよい。ガスチャネル１０７は湾曲面１０１と共に回転可能であってよい。ガス源１０８の周りに回転するガスチャネル１０７により、ガス分配システム１０５は、特に回転時のガス源１０８に対する相対位置に応じて、ガスチャネル１０７をガス源１０８に選択的に接続及び切断することができる。
【手続補正４】
【補正対象書類名】明細書
【補正対象項目名】００６８
【補正方法】変更
【補正の内容】
【００６８】
［００６７］  ローラーデバイスは、ウェブ被覆処理の適用、例えば、真空堆積処理、化学気相堆積（ＣＶＤ）、物理的気相堆積（ＰＶＤ）、例えば、蒸発又はスパッタリング又はプラズマ化学気相堆積（ＰＥＣＶＤ）で使用されるように適合可能である。ローラーデバイスは、可撓性光起電ウェブ、可撓性電子部品、可撓性ディスプレイ、ハイバリア被覆の工業生産、及びパッケージ材料処理で使用可能である。例えば、被覆は材料の蒸発又はスパッタリングによって実行されうる。幾つかの実施形態では、被覆材料は、アモルファスシリコン、プロト結晶シリコン、酸化ケイ素（ＳｉＯ２）、ナノ結晶シリコン、透明導電性酸化物（ＴＣＯ）層材料、インジウムスズ酸化物（ＩＴＯ）、亜鉛酸化物（ＺｎＯ）、アルミニウムドープした亜鉛酸化物（ＡＺＯ）、銅（Ｃｕ）、ＣｕＮｉ、銀（Ａｇ）、アルミニウム（Ａｌ）及びモリブデン（Ｍｏ）などの接触層材料からなる群から選択される。
【手続補正５】
【補正対象書類名】明細書
【補正対象項目名】００７２
【補正方法】変更
【補正の内容】
【００７２】
［００７１］  本書に記載の実施形態によれば、真空条件下のウェブ被覆処理でウェブの温度を制御する方法が提供される。図８は、本書に記載の実施形態による、温度を制御するための方法８００のフロー図を示す。ブロック８０１では、方法は、被覆されるウェブを温度制御されたローラーデバイスの上に移動することを含む。具体的には、温度を制御する方法は、２面被覆処理でウェブの温度を制御する方法になりうる。被覆されるウェブは、１つの面に被覆を既に有しうる。幾つかの実施形態では、被覆されるウェブ、或いは１つの面に既に被覆を有するウェブは、可撓性のあるウェブなど、上記で詳細に説明したウェブになりうる。本書に記載の実施形態によれば、ローラーデバイスの上を移動するウェブは、ローラーデバイスの湾曲面に接触して止まる。例えば、ウェブとローラーデバイスとの間の接触は、上記で詳細に説明したように点接触になりうる。ローラーデバイスに関連して説明した上記の特徴は、そのようなものとして同様に本方法に適用されうる。
【手続補正６】
【補正対象書類名】明細書
【補正対象項目名】００７７
【補正方法】変更
【補正の内容】
【００７７】
［００７６］  例えば、ガス源は、ガス排出口の第１のサブグループがガス源に流体連通され、一方でガス排出口の第２のサブグループがガス源から切断されるように、設計され配置されている。一実施例では、ガス源は、ローラーデバイスの円周の一部（扇形など）の上に延在するように設計されうる。他の実施形態と組み合わせうる幾つかの実施形態によれば、ガス排出口を含むローラーデバイスの湾曲面は、第１のサブグループがウェブ誘導領域のガス源を通過し（接続され）、第２のサブグループはウェブ誘導領域外にあって、ガス源から切断されるように、回転される。幾つかの実施形態では、ローラーデバイス、具体的にはローラーデバイスのガス分配システムは、ウェブ誘導領域内のガス排出口の第１のサブグループにガス源を接続することができるガスチャネルを含む。幾つかの実施形態では、ローラーデバイス、特にローラーデバイスの湾曲面は、図７に例示的に示したように、ガス排出口を提供するための多孔質材料層を含む。
【手続補正７】
【補正対象書類名】明細書
【補正対象項目名】００７８
【補正方法】変更
【補正の内容】
【００７８】
［００７７］  図９は、ウェブを誘導するための、また、温度制御されたローラーデバイスによってウェブの温度を制御するための方法８００の一実施形態のフロー図を示す。ブロック８０１〜８０３は、図８の実施形態に関しては、上述と同じになりうる。ブロック８０４では、方法は更に、駆動ユニットによって温度制御されたローラーデバイスを駆動することを含む。図１は、ウェブ２００が矢印２０１の方向に牽引される実施例を示す。牽引されるウェブから得られるウェブの運動は、ローラーデバイスを駆動しうるか、少なくともローラーデバイスの回転運動を開始しうる。駆動ユニットは、ローラーデバイスの湾曲面を回転しうる。
【国際調査報告】
2019517970.tif 000012
2019517970.tif 000013